(57)【要約】【課題】強い殺菌力を有する消毒装置を提供する。【解決手段】消毒装置１は、所定の空間を形成する空間形成部材３を備える。空間形成部材３は、所定の空間の天面を構成する天面部材３Ａと、所定の空間の左右の側面を構成する側面部材３Ｂと、所定の空間の底面を構成する底面部材３Ｃとで構成される。空間形成部材３は、天面部材３Ａと、左右の側面部材３Ｂと、底面部材３Ｃの４つの部材で箱型の所定の空間を形成しているので、残りの２面は、開口部となっており、この開口部は、空間形成部材３によって形成された所定の空間に通じている。空間形成部材３が形成する所定の空間に二酸化塩素ガスを供給する二酸化塩素ガス供給機２が、一方の側面部材３Ｂの内側面すなわち所定の空間側の面に取付けられている。消毒装置１は、二酸化塩素ガス供給機２を制御する制御部４を備える。【選択図】図１
2012143494.tif 000002
【特許請求の範囲】
【請求項１】
被消毒体を消毒するための二酸化塩素ガスを供給する二酸化塩素ガス供給機と、
所定の空間を形成すると共に、同空間に二酸化塩素ガスを供給するよう二酸化塩素ガス供給機が取付けられ、さらに前記空間に通じる少なくとも１つの開口部を有する空間形成部材と、
前記二酸化塩素ガス供給機を制御する制御部とを備える
消毒装置。
【請求項２】
前記制御部は、前記空間の二酸化塩素濃度が所定の濃度以上となるよう制御する
請求項１に記載の消毒装置。
【請求項３】
前記空間は略直線状に形成され、
前記開口部は、互いに対向して、略直線状の前記空間の両端に位置し、
前記二酸化塩素ガス供給機は、互いに対向する少なくとも一方の前記空間形成部材の内側面に取付けられる
請求項１または請求項２に記載の消毒装置。
【請求項４】
前記空間形成部材は、前記開口部を覆って前記空間を密閉すると共に開閉可能な扉を有する
請求項１〜３のいずれか１つに記載の消毒装置。
【請求項５】
前記空間に存在する被消毒体を感知するセンサーを備え、
前記制御部は、該センサーが被消毒体を感知した場合に、二酸化塩素ガスを前記空間に供給するよう前記二酸化塩素ガス供給機を制御する
請求項１〜４のいずれか１つに記載の消毒装置。
【請求項６】
前記センサーによる被消毒体の感知から所定の時間だけ消毒中であることを告知する、もしくは、前記センサーによる被消毒体の感知から所定の時間経過後に消毒が完了したことを告知する、告知部を備える
請求項５に記載の消毒装置。
【発明の詳細な説明】
【技術分野】
【０００１】
本発明は消毒装置に関する。詳しくは、例えば口蹄疫の発生や拡大を防ぐために作業員などを消毒するための消毒装置に係るものである。
【背景技術】
【０００２】
口蹄疫は、口蹄疫ウイルスの感染によって起こる急性熱性伝染病であり、牛、めん羊、山羊、豚などの家畜を始め、ほとんどの偶蹄類動物が感染する家畜伝染病である。
【０００３】
また、口蹄疫は、極めて伝染力が強く、そして、ひとたび発病すると、莫大な経済的被害が生じるほか、国あるいは地域ごとに家畜、畜産物等に厳しい移動制限が課され、国際流通にも大きな影響を及ぼす。
【０００４】
従って、国際的にも最も警戒すべき家畜の伝染性疾病の一つとして、その制圧と感染拡大防止が図られている。
【０００５】
また、口蹄疫の発生を防ぐためには、各農場の飼養管理や衛生管理を徹底して、農場を訪問する人や持ち込む物を必ず消毒する必要がある。
【０００６】
例えば、特許文献１には、図４に示すような消毒装置が記載されている。すなわち、特許文献１には、手などの人体の一部が挿入される消毒室１０１と、消毒室１０１内に人体の一部が挿入されたことを感知して制御部１０７に信号を送るセンサー１０２と、制御部１０７によって制御されて電解水を噴霧する噴霧ノズル１０３とを備える消毒装置が記載されている。
【先行技術文献】
【特許文献】
【０００７】
【特許文献１】特開平１１−２４１３８１号公報
【発明の概要】
【発明が解決しようとする課題】
【０００８】
しかしながら、電解水は殺菌力が充分ではなく、強い殺菌力を有する消毒装置が望まれていた。
【０００９】
本発明は、以上の点に鑑みて創案されたものであり、強い殺菌力を有する消毒装置を提供することを目的とする。
【課題を解決するための手段】
【００１０】
上記の目的を達成するために、本発明の消毒装置は、被消毒体を消毒するための二酸化塩素ガスを供給する二酸化塩素ガス供給機と、所定の空間を形成すると共に、同空間に二酸化塩素ガスを供給するよう二酸化塩素ガス供給機が取付けられ、さらに前記空間に通じる少なくとも１つの開口部を有する空間形成部材と、前記二酸化塩素ガス供給機を制御する制御部とを備える。
【００１１】
ここで、所定の空間を形成すると共に、所定の空間に二酸化塩素ガスを供給するよう二酸化塩素ガス供給機が取付けられ、さらに所定の空間に通じる少なくとも１つの開口部を有する空間形成部材によって、所定の空間に二酸化塩素ガスを充填させることができる。
【００１２】
また、本発明の消毒装置において、制御部は、所定の空間の二酸化塩素濃度が所定の濃度以上となるよう制御する場合、短時間に消毒効果をあげることができる。
【００１３】
さらに、本発明の消毒装置において、所定の空間は略直線状に形成され、開口部は、互いに対向して、略直線状の所定の空間の両端に位置し、二酸化塩素ガス供給機は、互いに対向する少なくとも一方の空間形成部材の内側面に取付けられることとすることができる。
【００１４】
この場合、農場の出入り口などに消毒装置を置いて、人間が出入り口を通る際に簡単に消毒を受けることができる。
【００１５】
また、本発明の消毒装置において、空間形成部材は、開口部を覆って所定の空間を密閉すると共に開閉可能な扉を有する場合、所定の空間を密閉できるので、消毒効果を向上させることができる。
【００１６】
また、本発明の消毒装置は、所定の空間に存在する被消毒体を感知するセンサーを備え、制御部は、センサーが被消毒体を感知した場合に、二酸化塩素ガスを所定の空間に供給するよう二酸化塩素ガス供給機を制御することとすることができる。
【００１７】
この場合、被消毒体が所定の空間に存在するときに二酸化塩素ガスが供給されるので、二酸化塩素ガスを無駄なく供給することができる。
【００１８】
また、本発明の消毒装置は、センサーによる被消毒体の感知から所定の時間だけ消毒中であることを告知する、もしくは、センサーによる被消毒体の感知から所定の時間経過後に消毒が完了したことを告知する、告知部を備えることとすることができる。
【００１９】
この場合、消毒中であること、もしくは消毒完了であることが告知されるので、被消毒体である人間は、消毒のために消毒装置の所定の空間内にいつまで滞在すればよいかが判り、空間内での無駄な滞在を省くことができる。
【発明の効果】
【００２０】
本発明に係る消毒装置は、強い殺菌力を有する。
【図面の簡単な説明】
【００２１】
【図１】本発明の消毒装置の第一の実施態様を示す概略図である。
【図２】本発明の消毒装置を構成する一方の側面部材の内側を示す概略正面図である。
【図３】本発明の消毒装置の第二の実施態様を示す概略図である。
【図４】従来の消毒装置を示す概略図である。
【発明を実施するための形態】
【００２２】
以下、本発明の実施の形態について図面を参照しながら説明し、本発明の理解に供する。
図１は、本発明の消毒装置の第一の実施態様を示す概略図である。
【００２３】
図１に示す例において、本発明の消毒装置１は、所定の空間を形成する空間形成部材３を備える。すなわち、空間形成部材３は、所定の空間の天面を構成する天面部材３Ａと、所定の空間の左右の側面を構成する側面部材３Ｂと、所定の空間の底面を構成する底面部材３Ｃとで構成される。
【００２４】
また、図１から判るように、空間形成部材３は、天面部材３Ａと、左右の側面部材３Ｂと、底面部材３Ｃの４つの部材で箱型の所定の空間を形成しているので、残りの２面は、開口部となっており、この開口部は、空間形成部材３によって形成された所定の空間に通じている。
【００２５】
ここで、「所定の空間」とは、大人が少なくとも１人立ち入ることができる広さの空間を意味するが、この大きさに限定されるものではない。
【００２６】
また、空間形成部材３が形成する所定の空間に二酸化塩素ガスを供給する二酸化塩素ガス供給機２が、一方の側面部材３Ｂの内側面すなわち所定の空間側の面に取付けられている。
ここで、二酸化塩素ガス供給機２としては、二酸化塩素ガスを空間形成部材３が形成する所定の空間に供給できるものであれば、どのようなものでもよいが、例えば、第一制電機社製の「Ｄｏ  Ｃｌｅａｎ」（商品名）を使用することができる。
【００２７】
また、二酸化塩素ガス供給機２が取付けられた側面部材３Ｂには、所定の空間の二酸化塩素濃度が所定の濃度以上（例えば０．１ｐｐｍ）となるよう二酸化塩素ガス供給機２を制御する制御部４が取付けられている。
【００２８】
また、二酸化塩素ガス供給機２の横には、ハンガーを掛けることができるようポール６が取付けられている。
【００２９】
また、図１から判るように、空間形成部材３が形成する所定の空間は、通路のように略直線状であり、そして所定の空間に通じる開口部は、互いに対向して、略直線状の所定の空間の両端に位置する。
【００３０】
また、空間形成部材３は、開口部を覆って所定の空間を密閉すると共に開閉可能な扉５を有する。
また、扉５には、所定の空間内を外部から見ることができるよう、もしくは、所定の空間内から外部を見ることができるよう、窓５Ａが設けられている。
【００３１】
また、本発明の消毒装置１は、所定の空間に存在する被消毒体（例えば、人間）を感知するセンサー（図示せず。）を備える。
そして、制御部４は、センサーが人間などの被消毒体を感知した場合に、二酸化塩素ガスを所定の空間に供給するよう二酸化塩素ガス供給機２を制御する。
【００３２】
また、制御部４は、例えば午前６時から午後１０時まで二酸化塩素ガスを所定の空間に供給するよう二酸化塩素ガス供給機２を制御したり、所定の空間内に二酸化塩素ガスを常に充填しておくよう二酸化塩素ガス供給機２を制御したりして、できるだけ、消毒装置１の操作が不要であるように設定される。
【００３３】
また、本発明の消毒装置１は、センサーによる人間などの被消毒体の感知から所定の時間だけ消毒中であることを告知する、もしくは、センサーによる人間などの被消毒体の感知から所定の時間経過後に消毒が完了したことを告知する、告知部を備える。
【００３４】
ここで、本発明の消毒装置が、被消毒体を消毒するための二酸化塩素ガスを供給する二酸化塩素ガス供給機と、所定の空間を形成すると共に、所定の空間に二酸化塩素ガスを供給するよう二酸化塩素ガス供給機が取付けられ、さらに所定の空間に通じる少なくとも１つの開口部を有する空間形成部材と、二酸化塩素ガス供給機を制御する制御部とを備えていれば、必ずしも扉はなくてもよい。
【００３５】
しかし、扉があれば、所定の空間を密閉できるので、消毒効果を向上させることができるため好ましい。
【００３６】
また、本発明の消毒装置が、被消毒体を消毒するための二酸化塩素ガスを供給する二酸化塩素ガス供給機と、所定の空間を形成すると共に、所定の空間に二酸化塩素ガスを供給するよう二酸化塩素ガス供給機が取付けられ、さらに所定の空間に通じる少なくとも１つの開口部を有する空間形成部材と、二酸化塩素ガス供給機を制御する制御部とを備えていれば、必ずしも消毒装置は、所定の空間に存在する被消毒体を感知するセンサーを備えていなくてもよい。
【００３７】
しかし、消毒装置がこのようなセンサーを備えていれば、被消毒体が所定の空間に存在するときに二酸化塩素ガスが供給されるので、二酸化塩素ガスを無駄なく供給することができ、好ましい。
【００３８】
また、本発明の消毒装置が、被消毒体を消毒するための二酸化塩素ガスを供給する二酸化塩素ガス供給機と、所定の空間を形成すると共に、所定の空間に二酸化塩素ガスを供給するよう二酸化塩素ガス供給機が取付けられ、さらに所定の空間に通じる少なくとも１つの開口部を有する空間形成部材と、二酸化塩素ガス供給機を制御する制御部とを備えていれば、必ずしも消毒装置は、告知部を備えていなくてもよい。
【００３９】
しかし、消毒装置がこのような告知部を備えていれば、消毒中であること、もしくは消毒完了であることが告知されるので、被消毒体である人間は、消毒に必要な時間だけ消毒装置の所定の空間内に居ればよく、空間内での無駄な滞在時間を省くことができるので好ましい。
【００４０】
図２は、本発明の消毒装置を構成する一方の側面部材の内側を示す概略正面図である。図２に示すように、側面部材の内側には、二酸化塩素ガス供給機２、制御部４、ポール６、照明器具７および棚１１が取付けられている。
【００４１】
また、二酸化塩素ガスは、空気よりも比重が重いので、上から下にガスが下りていくよう二酸化塩素ガス供給機２は天面部材に近い上部に取付けられる。
また、ポール６に、ハンガーで衣服８を掛けたり、棚１１に帽子１２や手袋１３を置いたりして、人体だけでなく物も消毒することができる。
【００４２】
また、二酸化塩素ガス供給機２のあたりには、センサーによる人間などの被消毒体の感知から所定の時間だけ消毒中であることを告知する、もしくは、センサーによる人間などの被消毒体の感知から所定の時間経過後に消毒が完了したことを告知する、告知部１０が設けられている。
【００４３】
また、炎天下の屋外に本発明の消毒装置１が設置されることも想定して、棚１１には空調機９も設置される。
また、側面部材に二酸化塩素ガス供給機が取付けられるのであれば、必ずしも図２に示すような配置でなくてもよく、例えば、二酸化塩素ガス供給機を複数台並べて取付けてもよい。
【００４４】
図３は、本発明の消毒装置の第二の実施態様を示す概略図である。
図３に示す本発明の消毒装置１はゲート型であり、底面部材がなく、天面部材３Ａと、左右の側面部材３Ｂとによって、所定の空間を形成する。また、図３に示す本発明の消毒装置はゲート型なので、図１に示す本発明の消毒装置よりも空間の奥行きが短い。
【００４５】
また、図１に示す本発明の消毒装置と異なり、図３に示す本発明の消毒装置１は、左右の側面部材３Ｂにそれぞれ２つの二酸化塩素ガス供給機２が取付けられると共に、天面部材３Ａにも二酸化塩素ガス供給機２が取付けられ、３方向から所定の空間に二酸化塩素ガスを供給する。
【００４６】
以上のように、本発明の消毒装置は、所定の空間を形成すると共に、所定の空間に二酸化塩素ガスを供給するよう二酸化塩素ガス供給機が取付けられ、さらに所定の空間に通じる少なくとも１つの開口部を有する空間形成部材を備えるので、所定の空間に二酸化塩素ガスを充填させることができる。
従って、本発明の消毒装置は、強い殺菌力を有する。
【００４７】
また、空間形成部材が形成する所定の空間は、通路のように略直線状であり、そして所定の空間に通じる開口部は、互いに対向して、略直線状の所定の空間の両端に位置し、また、開口部を覆って所定の空間を密閉すると共に開閉可能な扉があるので、例えば、口蹄疫の発生を予防すべき農場の出入り口に本発明の消毒装置を設置して、農場に入る人間が、本発明の消毒装置に一方の扉から入って短時間滞在し、他方の扉から出るだけで、強い殺菌力を有する消毒処理を受けて、農場に入ることができる。
【００４８】
さらに、例えば、食品加工工場の出入り口に本発明の消毒装置を設置して、工場に入る人間が、本発明の消毒装置に一方の扉から入って短時間滞在し、他方の扉から出るだけで、強い殺菌力を有する消毒処理を受けて、工場内に入ることができる。
【００４９】
また、扉を設けず、本発明の消毒装置をゲート型にすれば、例えば空港などに本発明の消毒装置を設置して、ゲート型の金属探知機を通るように、入国者などがゲート型の本発明の消毒装置を通過するだけで、入国者などは、強い殺菌力を有する消毒処理を受けることができる。
【符号の説明】
【００５０】
１    消毒装置
２    二酸化塩素ガス供給機
３    空間形成部材
３Ａ  天面部材
３Ｂ  側面部材
３Ｃ  底面部材
４    制御部
５    扉
５Ａ  窓
６    ポール
７    照明器具
８    衣服
９    空調機
１０    告知部
１１    棚
１２    帽子
１３    手袋
【図１】
2012143494.tif 000003
【図２】
2012143494.tif 000004
【図３】
2012143494.tif 000005
【図４】
2012143494.tif 000006